(57)【要約】  【課題】  扉本体の自動閉動しやすくし、また、外部から容易に取り外しすることができないセキュリティ上に優れた仮設足場用扉を提供する。  【解決手段】  扉本体２と、前記扉本体２を上下方向から挟むように配置される上側水平梁３ａと下側水平梁３ｂを有する取り付け枠３と、前記取り付け枠３の下側水平梁３ｂに固定され、扉本体２を回動自在に軸支する枠側蝶番部材２９と、  前記扉本体２の扉枠６内に設けられ、前記枠側蝶番部材２９に回動自在に軸支される扉側蝶番部材３５と、前記上側水平梁３ａから垂設され、前記扉本体２の扉枠６に挿入されて前記取り付け枠３と扉本体２を回動自在に軸支する上側支持軸部材１４と、を有する仮設足場用扉であって、前記枠側蝶番部材２９は、円筒形に構成され、扉側蝶番部材の下面に当接し傾斜面で構成される接合傾斜面２６と、前記接合傾斜面２６と同軸に設けられた下側支持軸２８を有する。【選択図】  図１
2019039293.tif 000002
【特許請求の範囲】
【請求項１】
仮設足場における出入口に取り付けられ、当該出入口を開閉する仮設足場用扉であって、
矩形の扉枠を有する扉本体と
前記仮設足場の前記出入口に固定され、前記扉本体の上下方向にそれぞれ配置される上側水平梁と下側水平梁を有する取り付け枠と、
前記取り付け枠に固定される円筒形に構成された枠側蝶番部材と、
前記扉本体の扉枠に設けられ円筒形に構成され、下面に接合傾斜面が形成された扉側蝶番部材と、
前記上側水平梁から下向きに延び、前記扉枠に上方から挿入されて前記取り付け枠と扉本体を回動自在に軸支する上側支持軸と、
前記下側水平梁から上向きに延び、前記扉枠に下方から挿入されて前記取り付け枠と扉本体を回動自在に軸支する下側支持軸と、を有し、
前記枠側蝶番部材は、前記扉側蝶番部材の前記下面に当接する接合傾斜面を上面に有し、前記上側支持軸及び下側支持軸の少なくとも一方は、前記枠側蝶番部材及び扉側蝶番部材と同軸に挿通されることを特徴とする、仮設足場用扉。
【請求項２】
前記枠側蝶番部材の接合傾斜面は、上下端に位置する内縁と外縁を結ぶ稜線が水平方向に伸び、前記上下端の間に設けられる傾斜部が、上方部分では外縁が内縁より低く下方部分では内縁が外縁より低くなるように捻れ形状を有していることを特徴とする、請求項１に記載の仮設足場用扉。
【請求項３】
前記扉側蝶番部材の前記接合傾斜面は、前記枠側蝶番部材の前記接合傾斜面と密着する捻れ形状を有していることを特徴とする、請求項２に記載の仮設足場用扉。
【請求項４】
前記上側支持軸を備え、前記上側水平梁の外面に固定可能な固定部を有する上側支持軸部材をさらに有し、
前記扉枠は、中空に構成され、内部下端近傍に扉側蝶番部材を収容し、
前記枠側蝶番部材は、前記取り付け枠の下側水平梁に設けられ、
前記上側支持軸は、前記上側支持軸部材によって、上側水平梁を上下に貫通して、前記扉本体の扉枠に挿入された状態に固定されることを特徴とする、請求項１から３のいずれか１つに記載の仮設足場用扉。
【請求項５】
前記上側支持軸部材の前記固定部は、前記上側水平梁の上面に当接して前記上側水平梁に固定され、
前記上側支持軸は固定部の下面に設けられ、前記上側水平梁を上下に貫通する貫通孔に挿通することを特徴とする、請求項４に記載の仮設足場用扉。
【請求項６】
前記固定部は、前記上側水平梁の通路内側面にも当接するように断面Ｌ字状に屈曲して構成され、前記通路内側面に固定されることを特徴とする、請求項５に記載の仮設足場用扉。
【請求項７】
前記枠側蝶番部材は、前記上側水平梁の外面に固定可能な固定部とともに、下側支持軸部材を構成し、前記固定部の上面に取り付けられた下側支持軸が挿通されるように同心状に、前記固定部の上面に固定されることを特徴とする、請求項１から６のいずれか１つに記載の仮設足場用扉。
【請求項８】
前記上側支持軸を備え前記上側水平梁の外面に固定可能な固定部を有する上側支持軸部材をさらに有し、
前記取り付け枠は、前記上側水平梁と下側水平梁と、上側水平梁と下側水平梁を連結する縦梁を備えた矩形に構成され、
前記枠側蝶番部材は、前記縦梁の上端近傍に内側に突出するように設けられ、
前記扉枠は、上端近傍が内側に屈曲して前記枠側蝶番部材が収容可能な蝶番部材収容空間を形成し、前記蝶番部材収容空間内に前記扉側蝶番部材が配置されることを特徴とする、請求項１から３のいずれか１つに記載の仮設足場用扉。
【発明の詳細な説明】
【技術分野】
【０００１】
本発明は、建設作業現場などで用いられる仮設足場において、足場への出入口に取り付けられ通路を開閉する仮設足場用扉に関する。
【背景技術】
【０００２】
マンションやオフィスビル等の建築物、橋脚等の構造物等、各種の建造物を建造するに際しては、建造物の周囲に足場を仮設することが一般的になされている。そして、足場としては、所定間隔で多数の支柱を立て、支柱間に踏板を架渡して、この踏板によって通路を形成したものが周知である。
【０００３】
ところで、踏板を通路とした足場では、部外者の侵入を防止するため、あるいは、工事区画を明確にするため等に、通路の出入口に扉を設ける場合がある。そして、足場用の扉としては、例えば特許文献１（特開２０１１−４２９４７号公報）に示すように、種々のものが案出されている。
【０００４】
ところで、足場の通路に扉を設けると、扉を通過する作業者は、開けた扉をいちいち閉めなければならない。特に、様々な建築資材を持って扉を通過する作業者にとっては、扉を閉める作業が面倒である。また、扉を閉め忘れることもある。
【０００５】
特許文献１には、足場の支柱に設けられた上面が傾斜面となっている支柱側蝶番部材と、扉本体に設けられた支柱側蝶番部材の上面に衝合する傾斜面を下面とする扉側蝶番部材とを備え、支柱側蝶番部材と扉側蝶番部材を回動自在に軸支した構成の足場用扉が開示されている。
【先行技術文献】
【特許文献】
【０００６】
【特許文献１】特開２０１１−４２９４７号公報
【発明の概要】
【発明が解決しようとする課題】
【０００７】
しかし、上記特許文献１の仮設扉は、支柱のホルダーにくさび部材を固定し、当該くさび部材に支柱側蝶番部材を保持する取り付けバーを介して、扉本体を支柱に固定する。このため、支柱と扉のたてつけが悪く、扉本体が自動的に閉じない場合もあった。
【０００８】
また、取り付けバーが支柱にくさび部材で固定されているだけであるので、外部から取り付けバーの取り外しが容易であった。また、扉本体の上方が空いているため、扉本体を上方向に移動させるだけで取り付けバーと扉本体を分解可能であるため、セキュリティ上の問題も有していた。
【０００９】
したがって、本発明が解決しようとする技術的課題は、扉本体の自動閉動しやすくし、また、外部から容易に取り外しすることができないセキュリティ上に優れた仮設足場用扉を提供することである。
【課題を解決するための手段】
【００１０】
本発明は、上記技術的課題を解決するために、以下の構成の仮設足場用扉を提供する。
【００１１】
本発明の第１態様によれば、仮設足場における出入口に取り付けられ、当該出入口を開閉する仮設足場用扉であって、
矩形の扉枠を有する扉本体と
前記仮設足場の前記出入口に固定され、前記扉本体の上下方向にそれぞれ配置される上側水平梁と下側水平梁を有する取り付け枠と、
前記取り付け枠に固定される円筒形に構成された枠側蝶番部材と、
前記扉本体の扉枠に設けられ円筒形に構成され、下面に接合傾斜面が形成された扉側蝶番部材と、
前記上側水平梁から下向きに延び、前記扉枠に上方から挿入されて前記取り付け枠と扉本体を回動自在に軸支する上側支持軸と、
前記下側水平梁から上向きに延び、前記扉枠に下方から挿入されて前記取り付け枠と扉本体を回動自在に軸支する下側支持軸と、を有し、
前記枠側蝶番部材は、前記扉側蝶番部材の前記下面に当接する接合傾斜面を上面に有し、前記上側支持軸及び下側支持軸の少なくとも一方は、前記枠側蝶番部材及び扉側蝶番部材と同軸に挿通されることを特徴とする、仮設足場用扉を提供する。
【００１２】
本発明の第２態様によれば、前記枠側蝶番部材の接合傾斜面は、上下端に位置する内縁と外縁を結ぶ稜線が水平方向に伸び、前記上下端の間に設けられる傾斜部が、上方部分では外縁が内縁より低く下方部分では内縁が外縁より低くなるように捻れ形状を有していることを特徴とする、第１態様の仮設足場用扉を提供する。
【００１３】
本発明の第３態様によれば、前記扉側蝶番部材の前記接合傾斜面は、前記枠側蝶番部材の前記接合傾斜面と密着する捻れ形状を有していることを特徴とする、第２態様の仮設足場用扉を提供する。
【００１４】
本発明の第４態様によれば、前記上側支持軸を備え、前記上側水平梁の外面に固定可能な固定部を有する上側支持軸部材をさらに有し、
前記扉枠は、中空に構成され、内部下端近傍に扉側蝶番部材を収容し、
前記枠側蝶番部材は、前記取り付け枠の下側水平梁に設けられ、
前記上側支持軸は、前記上側支持軸部材によって、上側水平梁を上下に貫通して、前記扉本体の扉枠に挿入された状態に固定されることを特徴とする、第１から第３態様のいずれか１つの仮設足場用扉を提供する。
【００１５】
本発明の第５態様によれば、前記上側支持軸部材の前記固定部は、前記上側水平梁の上面に当接して前記上側水平梁に固定され、
前記上側支持軸は固定部の下面に設けられ、前記上側水平梁を上下に貫通する貫通孔に挿通することを特徴とする、第４態様の仮設足場用扉を提供する。
【００１６】
本発明の第６態様によれば、前記固定部は、前記上側水平梁の通路内側面にも当接するように断面Ｌ字状に屈曲して構成され、前記通路内側面に固定されることを特徴とする、第５態様の仮設足場用扉を提供する。
【００１７】
本発明の第７態様によれば、前記枠側蝶番部材は、前記上側水平梁の外面に固定可能な固定部とともに、下側支持軸部材を構成し、前記固定部の上面に取り付けられた下側支持軸が挿通されるように同心状に、前記固定部の上面に固定されることを特徴とする、第１から第６態様のいずれか１つの仮設足場用扉を提供する。
【００１８】
本発明の第８態様によれば、前記上側支持軸を備え前記上側水平梁の外面に固定可能な固定部を有する上側支持軸部材をさらに有し、
前記取り付け枠は、前記上側水平梁と下側水平梁と、上側水平梁と下側水平梁を連結する縦梁を備えた矩形に構成され、
前記枠側蝶番部材は、前記縦梁の上端近傍に側方に突出するように設けられ、
前記扉枠は、上端近傍が内側に屈曲して前記枠側蝶番部材が収容可能な蝶番部材収容空間を形成し、前記蝶番部材収容空間内に前記扉側蝶番部材が配置されることを特徴とする、第１から第３態様のいずれか１つの仮設足場用扉を提供する。
【発明の効果】
【００１９】
本発明によれば、仮設足場用扉は、上下支持軸を取り付け枠の上方及び下方から扉本体に挿入する構成であり、取り付けが容易である。また、分解時には、扉本体の上下を取り付け枠で挟んでいるため、扉本体と取り付け枠の取り外しのために上下に延びる支持軸を分解する必要がある。このため、不審者などが、扉を分解して浸入することが困難であり、外部からのセキュリティを確保することができる。
【００２０】
また、取り付け枠の下側水平梁と扉本体の扉枠に設けられた枠側蝶番部材と扉側蝶番部材とが接合傾斜面により当接するように構成されているため、扉本体の自重により自動的に閉じる構成とすることができ、また、取り付け枠により枠側蝶番部材と扉側蝶番部材との立て付けが確保されるため、より高精度に扉本体を自動で閉じることができる。
【図面の簡単な説明】
【００２１】
【図１】本発明の第１実施形態にかかる仮設足場用扉の構成を示す図である。
【図２】図１の仮設足場用扉の扉クローザの近傍部分の拡大図である。
【図３】図１の仮設足場用扉の上側支持軸部材の構成を示す斜視図である。
【図４】図１の仮設足場用扉の上側支持部材による扉本体と取付け枠との取り付け構造を示す組立て分解断面図である。
【図５】図１の仮設足場用扉の下側支持軸部材の枠側蝶番部材の構成を示す斜視図である。
【図６】図１の仮設足場用扉の下側支持部材による扉本体と取付け枠との取り付け構造を示す組立て分解断面図である。
【図７】図１の仮設足場用扉の下側支持軸部材の軸通筒部材の構成を示す（ａ）斜視図、（ｂ）断面図である。
【図８】図１の仮設足場用扉の下側支持軸部材の軸通筒部材の変形例を示す拡大斜視図である。
【図９】本発明の第２実施形態にかかる仮設足場用扉の構成を示す図である。
【図１０】図９の仮設足場用扉の扉本体と取付け枠との取り付け構造を示す組立て分解斜視図である。
【発明を実施するための形態】
【００２２】
以下、本発明の各実施形態に係る仮設足場用扉について、図面を参照しながら説明する。
【００２３】
（第１実施形態）
図１は、本発明の第１実施形態にかかる仮設足場用扉を仮設足場に取り付けた状態を示す図である。本実施形態では、仮設足場用扉１は、仮設足場１００において所定間隔で立てられた２本の隣接する支柱１０１の間に固定される。なお、仮設足場の一方側が建物などで閉鎖されているような場合は、奥行き方向に２本の支柱が配置されない場合があるが、この場合は、１本の支柱に固定することも可能である。
【００２４】
支柱１０１は、例えば、直径４５ｍｍ程度の金属パイプによって構成される。本実施形態にかかる仮設足場用扉１は、当該支柱１０１にクランプ５を用いて固定される。クランプ５は、縦方向に伸びる棒状の支柱１０１にしっかりと固定可能な構成であれば、その種類や個数は問わない。
【００２５】
なお、本実施形態では、支柱１０１に固定されているが、足場１０１を構成する支柱以外の他の部材、例えば、支柱間に跨って連結する水平材や、当該水平材に固定される踏板などに固定することもできる。なお、この場合、仮設足場用扉１を仮設足場１００から容易に取り外しされにくく、また、立て付けよくしっかりと固定できる箇所に固定することが好ましい。
【００２６】
仮設足場用扉１は、足場の通路を開閉する扉本体２と、扉本体２を足場の支柱１０１に対して開閉自在に設置するための取付け枠３とを備える。扉本体２と取付け枠３は、共に矩形に構成され、取り付け枠３は、扉本体に対してひとまわり大きく構成されている。
【００２７】
扉本体２と取付け枠３とは、鉛直方向に伸びる支持軸１６，２８によって、回動自在に連結され、いわゆる開き戸の構造となっている。支持軸１６，２８については、詳細は後述する。また、扉本体２が取り付け枠３に対して開く向きは特に限定されるものではないが、仮設用足場１００の外側から見て扉本体２を手前側に引くように回動することが好ましい。
【００２８】
仮設足場用扉１は、矩形の扉枠６を有し、扉枠６の枠内に設けられた戸板７とを備える。扉枠６は、断面形状が中空で構成された金属筒部材を上下左右に組み合わせて矩形としたものである。扉枠６の内側を被覆するように設けられた戸板７は、本実施形態では、多数の穿孔が設けられたパンチングメタルで構成されている。ただし、網状部材や格子状部材でもよいし、単なる金属板など、扉枠内に配置可能ものであれば、種々の構成の戸板を使用することができる。
【００２９】
扉枠６の上下端には、扉本体２が閉じた時に後述する取り付け枠３に当接し、扉本体２の回動方向を規制するストッパ８が設けられている。
【００３０】
本実施形態において、ストッパ８は、板状の部材であり、扉枠６への取り付ける向きを変更することで、扉本体２の開き方向がどちらの向きであっても対応できる形状としている。
【００３１】
また、扉枠の回動軸と反対側の縦枠６ａ近傍には、扉クローザ９が設けられている。扉クローザ９は、図２に示すように、扉本体２の開閉時にノブ１０を動作することにより、ラッチ１１が扉クローザ９内に退避する。これにより、後述する取り付け枠３に設けられるストライク１２との係合を解除して、扉本体２を開けることができる。
【００３２】
取り付け枠３は、本実施形態では、扉本体２の上下に配置される上側水平梁３ａと下側水平梁３ｂ及び上側水平梁３ａと下側水平梁３ｂとの両端に接続され、上側水平梁３ａと下側水平梁３ｂとを繋ぐ軸側縦梁３ｃと開側縦梁３ｄとが組み合わされた矩形状の枠である。取り付け枠３を構成するそれぞれの水平梁３ａ，３ｂ及び縦梁３ｃ，３ｄは、それぞれ断面矩形の中空部材で構成され、軽量化を図っている。ただし、中実の部材で構成されていてもよい。
【００３３】
本実施形態において、取り付け枠３の２つの縦梁３ｃ，３ｄの上下端近傍には、取り付け枠３支柱に固定するためのクランプ５が水平梁３ａ，３ｂの長手方向に沿った方向に突出するように設けられている。本実施形態では、取り付け枠３は、隣接する２つの支柱１０１の間隔内に収まるように、当該支柱の間隔よりも若干小さい幅寸法に構成され、支柱１０１の間に固定される。ただし、支柱の間隔と略同じ幅寸法に構成してもよい。この場合は、取り付け枠３は、支柱１０１に対して取り付け枠３の縦梁３ｃ，３ｄがオーバーラップするように配置されることとなる。なお、支柱１０１と取り付け枠３との配置位置に応じて、クランプ５の突設方向を異ならせる。なお、クランプの脱着は、仮設足場用扉１の内部側から行うように構成することが好ましい。
【００３４】
開側の縦梁３ｄには、図２に示すように、扉クローザ９のラッチ１１と係合するストライク１２が設けられている。
【００３５】
また、取り付け枠３の高さ方向寸法は扉本体２に対して、若干上下に数センチほどの隙間１３ａ，１３ｂが設けられる。
【００３６】
扉本体２と取付け枠３とは、鉛直方向に伸びる上側支持軸１６（図３参照）及び下側支持軸２８（図５参照）により連結される。上側支持軸１６及び下側支持軸２８は、その軸芯が直線上に配置された状態に取り付けられ、軸芯の中心回りに扉本体２が回動する。
【００３７】
上側支持軸１６は、上側支持軸部材１４に設けられている。図３は、上側支持軸部材１４の構成を示す斜視図、図４は、上側支持部材による扉本体と取付け枠との取り付け構造を示す組立て分解断面図である。
【００３８】
上側支持軸部材１４は、図３に示すように上側支持軸１６と支持軸固定部１７とを備える。支持軸固定部１７は、本発明における固定部の一例である。上側支持軸１６は、断面円形の棒状部材であり、上端が支持軸固定部１７に固定されて下側へ延びる。
【００３９】
支持軸固定部１７は、図３に示すように、上側水平梁３ａの上面及び側面に沿って当接するように断面がＬ字状に屈曲された構成を有する。支持軸固定部１７の上片１８の下面には、上側支持軸１６が固定されており、上側支持軸１６が下側に延びる。側片１９は、上側水平梁３ａの側面、好ましくは、仮設足場の内部側の側面に当接する。
【００４０】
側片１９には、上側水平梁３ａへの固定用ビス孔２０が設けられており、取り付けビス２１を用いて上側水平梁３ａに固定可能となっている。
【００４１】
図４に示すように、取り付け枠の上側水平梁３ａは、上側支持軸１６を挿通させるための貫通孔２２ａ，２２ｂと上側水平梁３ａの側面に設けられた固定穴２４ａとを備えている。また、扉本体２の上側水平枠６ｂには、上側支持軸１６が挿入可能な支持軸受穴２３ａ，２３ｂが設けられている。
【００４２】
上側支持軸１６の長さは、上側水平梁３ａの貫通孔２２ａ，２２ｂを上下方向に貫通し、さらに、扉本体の縦枠６ａに支持軸受穴２３ａ，２３ｂ到達できる程度に構成されている。なお、本実施形態では、扉本体２の上側水平枠６ｂの縦枠６ａ側の端部は、上下方向の寸法が小さくなるように構成されており、組立て時に上側支持軸部材１４の上側支持軸１６が視認しやすくなっている。
【００４３】
上側支持軸部材１４による扉本体２と取付け枠３は、図４に示すように、扉本体２と取付け枠３を取り付け状態となる位置に配置した後、上側支持軸部材１４の上側支持軸１６を取付け枠３に貫通させて扉本体２に挿入することで、両者を連結する。その後、固定用ビス穴２０に取り付けビス２１を挿通させ、固定穴２４ａにネジ止めすることで上側支持軸部材１４を取付け枠３に固定する。
【００４４】
なお、扉本体２と取付け枠３の取り付け時において、両者間には、高さ方向に所定の隙間１３ａが形成されるようになっている。当該隙間１３ａは後述するように、扉本体２が自動で閉まるようにするために、扉本体２を開いた場合に上方にシフト可能な程度であればよく、下側支持軸部材２５の構成により決定することができる。
【００４５】
また、下側支持軸２８は、下側支持軸部材２５に設けられている。図５は、下側支持軸部材２５の構成を示す斜視図、図６は、下側支持部材による扉本体と取付け枠との取り付け構造を示す組立て分解断面図である。
【００４６】
下側支持軸部材２５は、図５に示すように、支持軸固定部２６と、下側支持軸２８と、取付け枠３に取り付ける枠側蝶番部材２９を有する。
【００４７】
支持軸固定部２６は、上片３０と側片３１とを有し、下側水平梁３ｂの上面及び側面に沿って当接するように断面Ｌ字状に屈曲された構成を有する。下側支持軸２８は、断面円形の棒状部材であり、下端が支持軸固定部２６に固定された状態に立設されている。枠側蝶番部材２９は、図７に示すように、長手方向に沿って延びる中央孔２９ａに下側支持軸２８を挿通可能な筒状の部材である。
【００４８】
支持軸固定部２６の上片３０の上面には、下側支持軸２８と枠側蝶番部材２９が固定される。なお、枠側蝶番部材２９の下端は、図７に示すように、上片３０との結合を強固にするために、挿入片２７を有しており、当該挿入片を図示しない上片３０の挿入孔に嵌合することで、ズレなく固定することができる。枠側蝶番部材２９は、中央孔２９ａに下側支持軸２８が同心状に挿通した状態で配置され、側片３１は、下側水平梁３ｂの側面、好ましくは、仮設足場の内部側の側面に当接する。
【００４９】
側片３１には、下側水平梁３ｂへの固定用ビス孔３２が設けられており、取り付けビス３３を用いて下側水平梁３ｂの固定穴２４ｂにネジ止めする。これにより、下側水平梁３ｂに対して、下側支持軸２８と枠側蝶番部材２９が上方へ延びるように取り付けられる。なお、下側水平梁３ｂには、図６に示すように、枠側蝶番部材２９の挿入片２７を逃がすための凹部が設けられている。
【００５０】
枠側蝶番部材２９は、後述する扉本体２に取り付ける扉側蝶番部材３５と組み合わされて扉本体２が取付け枠３に対して、自動で閉まるための機構を構成する。
【００５１】
図７は、枠側蝶番部材２９の構成を示す（ａ）斜視図、（ｂ）断面図である。枠側蝶番部材２９は、下側支持軸２８に対し同軸となるように外挿される筒状の部材である。枠側蝶番部材２９の詳細な構成については、後述する。
【００５２】
扉本体２の下側水平枠６ｃには、下側支持軸２８及び枠側蝶番部材２９が挿入可能な支持軸受穴３３ａ，３３ｂが設けられている。
【００５３】
下側支持軸部材２５による扉本体２と取付け枠３は、図６に示すように、取り付けビス３３により、下側支持軸部材２５を取付け枠３に固定した後、下側支持軸２８及び枠側蝶番部材２９を扉本体２に挿通させて両者を連結する。
【００５４】
扉側蝶番部材３５は、図６に示すように、扉本体２の軸側縦梁３ｃ内に収納されるように配置される。扉側蝶番部材３５と軸側縦梁３ｃとは、取り付けビス３４により固定される。
【００５５】
扉側蝶番部材３５及び枠側蝶番部材２９は、共に下側支持軸２８に外挿可能な中央孔２９ａ，３５ａを有する筒状の部材であり、互いの対向面に接合傾斜面３６ａ，３６ｂを有している。両接合傾斜面３６ａ，３６ｂは、互いに密着するように同じ傾きにより構成されており、扉本体２の開閉に伴う両者の周方向への位相の変化に応じて、互いの接合傾斜面に沿って移動するため、扉側蝶番部材３５の下側支持軸２８への挿入深度が変化する。
【００５６】
次に、図７を参照して、枠側蝶番部材２９の接合傾斜面３６ｂの形状について説明する。図７では、枠側蝶番部材２９を例にとって説明するが、扉側蝶番部材３５の接合傾斜面３６ａも上下方向が逆になっているのみで、同様の形状となっている。
【００５７】
接合傾斜面３６は、円筒を軸に対して交差する線で斜めに切断したような斜面形状となっている。枠側蝶番部材２９の厚みにより、接合傾斜面３６は外縁３７と内縁３８で挟まれた厚みが形成される。接合傾斜面３６の上下端３９，４０は、外縁３７と内縁３８の高さが等しく水平な稜線となるように形成されている。また、上下端３９，４０との間の斜面は、中間の高さ位置に対する上方部分４１では外縁３７が内縁３８より低く、下方部分４２では内縁が外縁より低くなるように構成された捻れ形状を有している。
【００５８】
なお、枠側蝶番部材２９は、その上端３９が取り付け枠３の軸側縦梁３ｃに最も近くなるような位相で取り付け枠３に固定される。また、扉側蝶番部材３５も上端が扉本体の縦枠６ａに最も近くなるような位相で扉本体２内に取り付けられる。したがって、扉本体２と取り付け枠が重なった状態、すなわち、扉本体が閉じた状態において、扉側蝶番部材３５の下側支持軸２８への挿入深度が最も深くなり、扉本体２の開度が大きくなるにつれて、枠側蝶番部材２９の接合傾斜面に沿って扉側蝶番部材３５が上方へ移動し下側支持軸２８への挿入深度が浅くなる。すなわち、扉本体２が、上方へ移動する。なお、扉本体２の上方に取付け枠３との間に形成される高さ方向の隙間１３ａは、当該扉側蝶番部材３５の下側支持軸２８への侵入深度の変化を許容できるような高さ寸法にすることが必要である。
【００５９】
また、扉本体２の開閉に伴い生じる、扉側蝶番部材３５の挿入深度の変化において、接合傾斜面３６ａ，３６ｂが上記の捻れ形状を有することにより、両接合傾斜面３６ａ，３６ｂが密着した状態を維持でき、スムーズな摺動を実現することができる。すなわち、枠側蝶番部材２９と扉側蝶番部材３５とは、支持軸２８により、同心状に配置されているため、扉本体の開閉によって、いわゆる支持軸２８周りに回動する。このとき、接合傾斜面３６ａ，３６ｂが捻れ形状を有することにより、当該回動による位相差を吸収することができ、スムーズな摺動を可能とすることができる。
【００６０】
したがって、扉本体２を開いた状態から閉じた状態への自動閉動がスムーズであり、立て付けの悪い仮設足場へ仮設足場用扉１を取り付けた場合にも扉本体２の自動閉動を実現することができる。
【００６１】
なお、本実施形態では、下側支持軸部材２５は、枠側蝶番部材２９に同軸に設けられた下側支持軸２８を有する。しかし、下側支持軸２８を扉側蝶番部材３５側に固定するように構成してもよい。すなわち、扉側蝶番部材３５に、下側支持軸２８を下側に突出するように取り付け、下側支持軸部材２５の枠側蝶番部材２９側の中央孔２９ａに、扉側蝶番部材３５から下方に延びる下側支持軸２８を差し込むように構成することもできる。
【００６２】
（第２実施形態）
図９は、本発明の第２実施形態にかかる仮設足場用扉を仮設足場に取り付け他状態を示す図である。本実施形態では、仮設足場用扉５１は、第１実施形態にかかる仮設足場用扉１と構成を共通にする部分を有するため、以下、異なる部分を中心に説明する。
【００６３】
本実施形態においても、仮設足場用扉５１は、仮設足場１００の支柱１０１に固定される。
【００６４】
仮設足場用扉５１は、足場の通路を開閉する扉本体５２と、扉本体５２を足場の支柱１０１に対して開閉自在に設置するための取付け枠５３とを備える。扉本体５２と取付け枠５３とは、鉛直方向に伸びる支持軸１６，２８によって、回動自在に連結され、いわゆる開き戸の構造となっている。
【００６５】
仮設足場用扉５１は、矩形の扉枠５６を有し、扉枠５６の枠内に設けられた戸板５７とを備える。扉枠５６は、断面形状が中空で構成された金属筒部材を上下左右に組み合わせて矩形としたものである。扉枠５６の内側を被覆するように設けられた戸板５７は、本実施形態では、多数の穿孔が設けられたパンチングメタルで構成されている。
【００６６】
扉枠５６の上下端には、扉本体２の回動方向を規制するストッパ８が設けられている。また、扉枠の回動軸と反対側の縦枠６ａ近傍には、扉クローザ９が設けられている。
【００６７】
取り付け枠５３は、本実施形態では、扉本体５２の上下に配置される上側水平梁５３ａと下側水平梁５３ｂ及び上側水平梁３ａと下側水平梁３ｂとの両端に接続する軸側縦梁５３ｃと開側縦梁５３ｄとが組み合わされた矩形状の枠である。
【００６８】
本実施形態において、取り付け枠５３の２つの縦梁５３ｃ，５３ｄの上下端近傍には、取り付け枠５３支柱に固定するためのクランプ５が設けられている。
【００６９】
また、取り付け枠５３の高さ方向寸法は扉本体５２に対して、若干上下に数センチほどの隙間１３ａ，１３ｂが設けられる。
【００７０】
扉本体５２と取付け枠５３とは、鉛直方向に伸びる上側支持軸５６（図１０参照）及び下側支持軸５８により連結される。
【００７１】
図１０に示すように、上側支持軸５６は、上側支持軸部材５４に設けられている。上側支持軸部材５４は、図１０に示すように上側支持軸５６と支持軸固定部５５とを備える。支持軸固定部５５は、本発明における固定部の一例である。上側支持軸５６は、断面円形の棒状部材であり、上端が支持軸固定部５５に固定されて下側へ延びる。
【００７２】
支持軸固定部５５は、図１０に示すように、上側水平梁３ａの上面及び側面に沿って当接するように断面がＬ字状に屈曲された構成を有する。支持軸固定部５５は、固定用ビス孔５７を有し、図示しない取り付けビスを用いて上側水平梁５３ａに固定可能となっている。
【００７３】
図１０に示すように、取り付け枠の上側水平梁５３ａには、上側支持軸５６を挿通させるための貫通孔２２ａ，２２ｂと上側水平梁５３ａの側面に設けられた固定穴２４ａとを備えている。また、扉本体２の上側水平枠５６ｂには、上側支持軸５６が挿入可能な支持軸受穴２３ａが設けられている。
【００７４】
図１０に示すように、本実施形態では、枠側蝶番部材６０は、取付け枠５３の軸側縦梁５３ｃに取り付けられている。具体的には、枠側蝶番部材６０は、軸側縦梁５３ｃの上端近傍位置には、蝶番取付部材６１が内側方へ突出するように設けられ、枠側蝶番部材６０は、当該蝶番取付部材６１に固定される。
【００７５】
また、扉枠５６の縦枠５６ａは、蝶番取付部材６１及び枠側蝶番部材６０と干渉しないように、上端近傍が内側へ屈曲した逃げ部５６ｅを有し、当該逃げ部５６ｅによって形成された蝶番部材収容空間６２を備える。
【００７６】
蝶番部材収容空間６２には、扉側蝶番部材７０が収容される。扉側蝶番部材７０は、扉枠５６の上側水平枠５６ｂの端部に取り付けられる。扉側蝶番部材７０の中空孔は、上側水平枠５６ｂの支持軸受穴２３ａと連通する。
【００７７】
上側支持軸部材５４による扉本体５２と取付け枠５３は、図１０に示すように、扉本体５２と取付け枠５３を取り付け状態となる位置に配置する。この際、枠側蝶番部材６０と扉側蝶番部材７０は、蝶番部材収容空間６２内に収まる。この後、上側支持軸部材５４の上側支持軸５６を取付け枠５３に貫通させて扉本体５２に挿入することで、両者を連結する。次いで、固定用ビス穴２０に取り付けビス２１を挿通させ、固定穴２４ａにネジ止めすることで上側支持軸部材１４を取付け枠３に固定する。
【００７８】
なお、扉本体５２と取付け枠５３の取り付け時において、両者間には、高さ方向に所定の隙間１３ａが形成されるようになっている。
【００７９】
枠側蝶番部材６０は、扉側蝶番部材７０と組み合わされて扉本体５２が取付け枠５３に対して、自動で閉まるための機構を構成する。
【００８０】
枠側蝶番部材６０及び扉側蝶番部材７０は、共に上側支持軸５６に外挿可能な中央孔を有する筒状の部材であり、互いの対向面に接合傾斜面を有している。両接合傾斜面の形状は、第１実施形態と共通するので、説明を省略する。
【００８１】
下側支持軸５８は、下側水平梁５３ｂの上方に突出するように設けられている。下側支持軸５８は、下側水平梁５３ｂに直接取り付けることもできる。
【００８２】
扉本体５２の下側水平枠の５６ｃには、下側支持軸５８が挿入可能な図示しない支持軸受穴が設けられている。
【００８３】
扉本体５２を取付け枠５３に取り付けるには、まず、下側水平枠５６ｃの支持軸受穴に下側支持軸５８を挿入し、その後、枠側蝶番部材６０と扉側蝶番部材７０との両接合傾斜面を合わせ、両者の中央孔が連通する状態とする。その後、上記の通り、上側支持軸部材５４により、枠側蝶番部材６０と扉側蝶番部材７０に上側支持軸５６を挿通し、上側支持軸部材５４を取付け枠５３に固定する。
【００８４】
本実施形態によれば、扉本体５２の開閉に伴い生じる、枠側蝶番部材６０と扉側蝶番部材７０との挿入深度の変化において、接合傾斜面が上記の捻れ形状を有することにより、両接合傾斜面が密着した状態を維持でき、スムーズな摺動を実現することができる。
【００８５】
また、枠側蝶番部材６０と扉側蝶番部材７０が扉の上側に配置されているため、砂や埃などの異物が、接合傾斜面に入りにくく、異物によって摺動が阻害される心配がない。したがって、扉本体２を開いた状態から閉じた状態への自動閉動がスムーズであり、立て付けの悪い仮設足場へ仮設足場用扉５１を取り付けた場合にも扉本体５２の自動閉動を実現することができる。
【００８６】
以上説明したように、本発明の各実施形態にかかる仮設足場用扉によれば、扉本体の上下を取り付け枠で挟んでいるため、扉本体と取り付け枠の取り外しのために上下の支持軸を分解する必要があり、外部からのセキュリティを確保することができる。
【００８７】
また、取り付け枠の下側水平梁と扉本体の扉枠に設けられた枠側蝶番部材と扉側蝶番部材とが捻れ形状を有する接合傾斜面により当接するように構成されているため、扉本体の自重に自動閉動が可能であり、また、取り付け枠により枠側蝶番部材と扉側蝶番部材との立て付けが確保されるため、よりスムーズな自動閉動を実現することができる。
【００８８】
なお、本発明は上記実施形態に限定されるものではなく、その他種々の態様で実施可能である。例えば、上記実施形態では、枠側蝶番部材２９及び扉側蝶番部材３５の下端４０は、双方に位置する斜面が鋭角となるように突き合わされた形状となっているが、図８に示すように、上下端３９，４０の突き合わせ角度を緩やかにすることもできる。この構成により、扉本体を手前側及び奥側の双方向に開いた場合において、自動閉動時に扉本体を閉じた状態へ緩やかに戻すことができ、急激な扉の閉動を防止することができる。
【００８９】
また、枠側蝶番部材２９及び扉側蝶番部材３５は、下側支持軸又は上側支持軸のいずれか一方のみに設けられているが、双方に取り付けることも可能である。
【００９０】
また、扉本体の回動軸以外の他の構成、例えば、扉枠６、戸板７、扉クローザ９などについては、実施形態に限定されるものではなく本発明の効果を実現できる範囲において、あらゆる構造を採用することができる。
【００９１】
さらに、取り付け枠においても、上側水平梁３ａと下側水平梁３ｂが設けられていれば扉本体との取り付け及び容易な分解を防止することができることから、これらの構成のみで十分であり、軸側縦梁３ｃと開側縦梁３ｄを設けない構成とすることも可能である。
【符号の説明】
【００９２】
１，５１  仮設足場用扉
２，５２  扉本体
３，５３  取付け枠
３ａ，５３ａ  上側水平梁
３ｂ，５３ｂ  下側水平梁
３ｃ  軸側縦梁
３ｄ  開側縦梁
５  クランプ
６，５６  扉枠
６ａ  縦枠
６ｂ，５６ｂ  上側水平枠
７  戸板
８  ストッパ
９  扉クローザ
１０  ノブ
１１  ラッチ
１２  ストライク
１３ａ，１３ｂ  隙間
１４  上側支持軸部材
１６，６０  上側支持軸
１７  支持軸固定部
１８  上片
１９  側片
２０  固定用ビス孔
２１  取り付けビス
２２ａ，２２ｂ  貫通孔
２３ａ，２３ｂ  支持軸受穴
２４ａ，２４ｂ  固定穴
２５  下側支持軸部材
２６  支持軸固定部
２７  挿入片
２８，７０  下側支持軸
２９  枠側蝶番部材
３０  上片
３１  側片
３２  固定用ビス孔
３３  取り付けビス
３３ａ，３３ｂ  支持軸受穴
３４  取り付けビス
３５  扉側蝶番部材
３６ａ，３６ｂ  接合傾斜面
３７  外縁
３８  内縁
３９  上端
４０  下端
４１  上方部分
４２  下方部分
６２  蝶番部材収容空間
１００  仮設足場
１０１  支柱
【図１】
2019039293.tif 000003
【図２】
2019039293.tif 000004
【図３】
2019039293.tif 000005
【図４】
2019039293.tif 000006
【図５】
2019039293.tif 000007
【図６】
2019039293.tif 000008
【図７】
2019039293.tif 000009
【図８】
2019039293.tif 000010
【図９】
2019039293.tif 000011
【図１０】
2019039293.tif 000012